(57)【特許請求の範囲】
【請求項１】
透液性トップシートと、不透液性バックシートとの間に吸収体が介在され、紙おむつの両側部に撥水処理不織布またはプラスチックシートにより表面側に起立する立体ギャザーが形成されるとともに、前記吸収体両側縁部よりも外方に延在する前記不透液性バックシートと、撥水処理不織布またはプラスチックシートとにより吸収体の存在しないサイドフラップ部が形成された使い捨て紙おむつにおいて、
前記サイドフラップに、不透液性バックシートと、撥水処理不織布またはプラスチックシートとの間に紙おむつの長手方向に沿って複数本の弾性伸縮部材が配設され、前記紙おむつの表面側であってかつ前記立体ギャザーの起立固定端よりも外側部位の前記複数の弾性伸縮部材と重なるサイドフラップ領域に、紙おむつ長手方向のほぼ全長または少なくとも股間部を含む範囲に亘って、吸汗用シートを貼設したことを特徴とする使い捨て紙おむつ。
【請求項２】
透液性トップシートと、不透液性バックシートとの間に吸収体が介在され、紙おむつの両側部に、表面側に起立する立体ギャザーが形成されるとともに、前記吸収体両側縁部よりも外方に延在する前記不透液性バックシートと、液透過性不織布とにより吸収体の存在しないサイドフラップ部が形成された使い捨て紙おむつにおいて、
前記サイドフラップに、不透液性バックシートと、液不透過性不織布との間に紙おむつの長手方向に沿って複数本の弾性伸縮部材が配設されるとともに、このサイドフラップ部において、紙おむつの長手方向に沿って前記液透過性不織布と不透液性バックシートとの間であって、前記複数の弾性伸縮部材と重なり、かつ該弾性伸縮部材よりも肌当接面側となる層位置に吸汗用シートを介在させたことを特徴とする使い捨て紙おむつ。
【請求項３】
透液性トップシートと不透液性バックシートとの間に吸収体が介在され、紙おむつの前後端部に前記吸収体端縁よりも外方に延在する前記透液性トップシートと不透液性バックシートとにより吸収体の存在しないエンドフラップ部が形成され、かつこのエンドフラップ部に所定幅の弾性伸縮部材が介在されることによりウエストギャザーが形成された使い捨て紙おむつにおいて、
前記エンドフラップ部の表面であってかつ前記所定幅の弾性伸縮部材と重なるエンドフラップ領域に、紙おむつの幅方向に沿って吸汗用シートを貼設したことを特徴とする使い捨て紙おむつ。
【請求項４】
透液性トップシートと不透液性バックシートとの間に吸収体が介在され、紙おむつの前後端部に前記吸収体側縁よりも外方に延在する前記透液性トップシートと不透液性バックシートとにより吸収体の存在しないエンドフラップ部が形成され、かつこのエンドフラップ部に所定幅の弾性伸縮部材が介在されることによりウエストギャザーが形成された使い捨て紙おむつにおいて、
前記エンドフラップ部に対し、紙おむつの幅方向に沿って透液性トップシートと弾性伸縮部材との間であって、前記所定幅の弾性伸縮部材と重なり、かつ該弾性伸縮部材よりも肌当接面側となる層位置に吸汗用シートを介在させたことを特徴とする使い捨て紙おむつ。
【請求項５】
前記吸汗用シートは、上層側シートと下層側シートとからなる二層構造のシート材であり、上層側シートはポリエチレン、ポリプロピレンまたはこれらを主体とした合成繊維による不織布シートまたは多孔性プラスチックシートが用いられ、一方下層側シートはレーヨンまたはキュプラ等の再生繊維による不織布シート或いは綿等の天然繊維による不織布シートが用いられている請求項１、３いずれかに記載の使い捨て紙おむつ。
【請求項６】
前記吸汗用シートは、レーヨンまたはキュプラ等の再生繊維による不織布シート或いは綿等の天然繊維による不織布シートからなる単層不織布シートである請求項２，４いずれかに記載の使い捨て紙おむつ。
【発明の詳細な説明】
【０００１】
【発明の属する技術分野】
本発明は、脚周りおよび／または腰周りに吸汗機能を備えることにより、汗が原因の汗疹、湿疹およびかぶれなどを防止するようにした使い捨て紙おむつに関する。
【０００２】
【従来の技術】
従来より、市場に提供されている紙おむつは、図７に示されるように、裏面側に配置されるポリエチレン等からなる不透液性バックシート１と、表面側に配置される不織布等からなる透液性トップシート２と、これら不透液性バックシート１と透液性トップシート２との間に配置された吸収体３とから主に構成され、両側部においては、前記不透液性バックシート１が吸収体３側縁部より外方まで延在されるとともに、表面側に設けられた不織布等からなるバリヤシート４の側部がわシート部分が吸収体３の側縁部より外方に延在し、前記不透液性バックシート１に対し固着されることにより前記吸収体３の介在しないサイドフラップ部ＳＦが形成され、かつこれらバリヤシート４と不透液性バックシート１との間に複数条の弾性伸縮部材８，８…が紙おむつの長手方向に沿って配置されることにより、サイドフラップ部ＳＦにひだ状の平面ギャザーＧＫが形成されるようになっている。また、前記バリヤシート４の内側シート部分は、吸収体３の側縁部よりフラップ状に延在し、先端に配置された弾性伸縮部材９により表面側に起立する立体ギャザーＢＫが形成されている。
【０００３】
一方、紙おむつの腹部および背部には、前記不透液性バックーシート１と透液性トップシート２が共に延在し、吸収体３の存在しないエンドフラップ部ＥＦが形成され、このエンドフラップ部ＥＦに対し、不透液性バックシート１と透液性トップシート２との間に弾性伸縮バンド６を介在させることによりウエストギャザーが形成されている。
【０００４】
前記バリヤシート４としては、プラスチックシートなども使用できるが、通常は、肌への感触性を高めるとともに、尿の透過を確実に防止するために、シリコン系、パラフィン系、アルキルクロミッククロイド系撥水剤などをコーティングした撥水処理不織布が用いられている。
【０００５】
【発明が解決しようとする課題】
前述のように従来の紙おむつにおいては、直接、肌と接触する表面側は尿を透過させる中央の透液性トップシート２の露出面以外は撥水処理を施したバリヤシート４により覆われており、また腰周りでも透液性トップシート２と不透液性バックシート１との間に吸水性を有しない弾性伸縮バンド６が配置されているため、これらの部位では着用者がかいた汗がいつまでも吸収されずに、長時間の間、着用者の肌と接触し、汗疹、湿疹およびかぶれ等の原因となるなどの問題が発生していた。特に乳幼児の場合は、夏場以外でも腰回りや股間部分に汗をかき易く、また肌が大人よりも敏感で汗疹や湿疹、かぶれなどを起こし易いため、特に乳幼児用紙おむつでは、このような皮膚症状を起こさない紙おむつの開発が切望されていた。
【０００６】
そこで本発明の主たる課題は、汗が肌と長時間の間接触することに原因する、汗疹、湿疹やかぶれなどを効果的に防止するようにした使い捨て紙おむつを提供することにある。
【０００７】
【課題を解決するための手段】
前記課題を解決するための第１発明は、透液性トップシートと、不透液性バックシートとの間に吸収体が介在され、紙おむつの両側部に撥水処理不織布またはプラスチックシートにより表面側に起立する立体ギャザーが形成されるとともに、前記吸収体両側縁部よりも外方に延在する前記不透液性バックシートと、撥水処理不織布またはプラスチックシートとにより吸収体の存在しないサイドフラップ部が形成された使い捨て紙おむつにおいて、
前記サイドフラップに、不透液性バックシートと、撥水処理不織布またはプラスチックシートとの間に紙おむつの長手方向に沿って複数本の弾性伸縮部材が配設され、前記紙おむつの表面側であってかつ前記立体ギャザーの起立固定端よりも外側部位の前記複数の弾性伸縮部材と重なるサイドフラップ領域に、紙おむつ長手方向のほぼ全長または少なくとも股間部を含む範囲に亘って、吸汗用シートを貼設したことを特徴とするものである。
【０００８】
また第２発明は、透液性トップシートと、不透液性バックシートとの間に吸収体が介在され、紙おむつの両側部に、表面側に起立する立体ギャザーが形成されるとともに、前記吸収体両側縁部よりも外方に延在する前記不透液性バックシートと、液透過性不織布とにより吸収体の存在しないサイドフラップ部が形成された使い捨て紙おむつにおいて、
前記サイドフラップに、不透液性バックシートと、液不透過性不織布との間に紙おむつの長手方向に沿って複数本の弾性伸縮部材が配設されるとともに、このサイドフラップ部において、紙おむつの長手方向に沿って前記液透過性不織布と不透液性バックシートとの間であって、前記複数の弾性伸縮部材と重なり、かつ該弾性伸縮部材よりも肌当接面側となる層位置に吸汗用シートを介在させたことを特徴とするものである。
【０００９】
また第３発明は、透液性トップシートと不透液性バックシートとの間に吸収体が介在され、紙おむつの前後端部に前記吸収体端縁よりも外方に延在する前記透液性トップシートと不透液性バックシートとにより吸収体の存在しないエンドフラップ部が形成され、かつこのエンドフラップ部に所定幅の弾性伸縮部材が介在されることによりウエストギャザーが形成された使い捨て紙おむつにおいて、
前記エンドフラップ部の表面であってかつ前記所定幅の弾性伸縮部材と重なるエンドフラップ領域に、紙おむつの幅方向に沿って吸汗用シートを貼設したことを特徴とするものである。
【００１０】
さらに第４発明は、透液性トップシートと不透液性バックシートとの間に吸収体が介在され、紙おむつの前後端部に前記吸収体側縁よりも外方に延在する前記透液性トップシートと不透液性バックシートとにより吸収体の存在しないエンドフラップ部が形成され、かつこのエンドフラップ部に所定幅の弾性伸縮部材が介在されることによりウエストギャザーが形成された使い捨て紙おむつにおいて、
前記エンドフラップ部に対し、紙おむつの幅方向に沿って透液性トップシートと弾性伸縮部材との間であって、前記所定幅の弾性伸縮部材と重なり、かつ該弾性伸縮部材よりも肌当接面側となる層位置に吸汗用シートを介在させたことを特徴とするものである。
【００１１】
上記本発明においては、従来はサイドフラップ部およびエンドフラップ部などの汗をかき易い部位にも拘わらず吸汗機能を有しなかった部位に対し、吸汗用シートを貼設し着用者がかいた汗を迅速に吸収するようにしたため、汗疹、湿疹およびかぶれなどの汗が原因の諸症状を抑えることができるようになる。
【００１２】
前記第１および第３発明の場合において、前記吸汗用シートは、上層側シートと下層側シートとからなる二層構造のシート材であり、上層側シートはポリエチレン、ポリプロピレンまたはこれらを主体とした合成繊維による不織布シートまたは多孔性プラスチックシートが用いられ、一方下層側シートはレーヨンまたはキュプラ等の再生繊維による不織布シート或いは綿等の天然繊維による不織布シートが用いられていることが望ましい。吸汗機能素材としては、不織布の中でも比較的吸水および保水能力の高い再生繊維または天然繊維による不織布を用いるのが望ましいが、汗を多く吸収したこれらの不織布が肌に触れ続けていると、着用者が不快感を感じるようになるとともに、却って汗疹やかぶれなどの原因となることもあるので、比較的吸水性、保水性に乏しいポリエチレン、ポリプロピレンまたはこれらを主体とした不織布シートや多孔性プラスチックシートにより前記レーヨン不織布等を覆うことにより肌への感触性が向上するとともに、肌へのべと付き感が無くなるようになり、汗を多く吸収した場合であっても本発明の所期の目的通り、汗疹、湿疹やかぶれなどを効果的に防止できるようになる。
【００１３】
また、前記第２発明および第４発明では、表面側の液透過性不織布や透液性トップシートが前記上層側シートと同様の機能を示すため、吸汗用シートとしては、レーヨンまたはキュプラ等の再生繊維による不織布シート或いは綿等の天然繊維による不織布シートからなる単層不織布シートを用いるのがよい。
【００１４】
【発明の実施の形態】
以下、本発明の実施の形態について図面を参照しながら詳述する。
図１は本発明に係る紙おむつの一部破断展開図であり、図２はその要部拡大展開図である。なお、図中、×印は接着部位を示す記号である。
【００１５】
図１において紙おむつは、ポリエチレン等からなる不透液性バックシート１と、不織布などからなる透液性トップシート２との間に、綿状パルプ等からなる、たとえば長方形（若しくは砂時計形状）のある程度の剛性を有する吸収体３が介在されている。吸収体３は、その形状保持のために吸収紙（図示せず）により包み込むことができる。前記不透液性バックーシート１としては、近年、ムレ防止の点から透湿性を有するものも用いられている。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。また、前記透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができる。
【００１６】
前記不透液性バックシート１は、吸収体３の周囲より外方に延在して略砂時計形状を成しており、その側方延在部は後述するバリヤシート４の側部とともに、吸収体の存在しないサイドフラップ部ＳＦを構成している。透液性トップシート２は、吸収体３より若干大きめの長方形状とされ、吸収体３側縁より若干外方に延在する部分が前記バリヤシート４と不透液性バックシート１との間に介在されホットメルト接着剤などにより固着されている。前記バリヤシート４の形成材料としては、プラスチックシートやメルトブローン不織布などを使用することもできるが、肌への感触性の点で、不織布にシリコンなどにより撥水処理をしたものが好適に使用される。
【００１７】
他方、紙おむつの長手方向端部、すなわち腹側および背側では不透液性バックシート１および透液性トップシート２が共に延在し吸収体３の存在しないエンドフラップ部ＥＦが形成され、発泡ウレタンなどからなる所定幅の弾性伸縮バンド５，６がそれぞれ介在され、背側の両端部にはファスニングテープ７，７が設けられている。
【００１８】
前記紙おむつの両側部には、長手方向に沿って使用面側に突出する左右一対の立体ギャザーＢＫが形成されている。この立体ギャザーＢＫは、詳細には図２に示されるように、不透液性バックシート１に対応してサイドフラップ部ＳＦまで延在して設けられたバリヤシート４の内側シート部分により構成されるもので、吸収体３側縁部より若干内方側位置を起立固定端としている。立体ギャザーＢＫの先端部は所定幅で二重に折り返され、この折り返し部の内部に１本（または複数本）の弾性伸縮部材９を配設することにより、その伸縮力を利用して立体ギャザーＢＫを起立させるようになっている。
【００１９】
他方、立体ギャザーＢＫの外側に存在するサイドフラップＳＦには、バリヤシート４と不透液性バックシート１との間に紙おむつ長手方向に沿って複数本の、本例では３本の弾性伸縮部材８，８…がホットメルト接着剤などにより固着され、その伸縮力によりひだ状の平面ギャザーＧＫが形成されている。前記弾性伸縮部材８，９としては、通常使用されるスチレン系ゴム、オレフィン系ゴム、ウレタン系ゴム、エステル系ゴム、ポリウレタン、ポリエチレン等の素材を用いることができる。
【００２０】
前記立体ギャザーＢＫは、着用時に脚周りに当接し、その立体ギャザーＢＫと透液性トップシート２とで囲まれる、上方開口のほぼ台形状の空間によって、尿または軟便の封じ込め用ポケット空間を形成し、この空間内に排尿または排便されると、尿は透液性トップシート２を通過して吸収体３に吸収されるとともに、軟便固形分については前記立体ギャザーＢＫが障壁となって乗り越えが防止される。仮に、立体ギャザーＢＫを乗り越えて尿または排便が漏れたとしても前記平面ギャザーＧＫにより横漏れが防止される。
【００２１】
かかる紙おむつに対して、本例では紙おむつの表面側であってかつ前記立体ギャザーＢＫの起立固定端よりも外側部位に、具体的にはサイドフラップ部ＳＦ上に紙おむつ長手方向のほぼ全長に亘って脚部吸汗用シート１０を貼設してある。この脚部吸汗用シート１０は、好ましくは上層側シート１０Ａと下層側シート１０Ｂとからなる二層構造のシートとされ、上層側シート１０Ａは、ポリエチレン、ポリプロピレンまたはこれらを主体とした合成繊維による不織布シートまたは多孔性プラスチックシートが用いられ、一方下層側シート１０Ｂとしてはレーヨンまたはキュプラ等の再生繊維不織布シート或いは綿等の天然繊維不織布シートが用いられている。下層側シート１０Ｂに相対的に吸水性および保水性に優れたレーヨン等による不織布シートを用いるとともに、その上層側に相対的に吸水性に劣るポリエチレン等による不織布シートを重ねることにより、多量の汗を吸水した場合であっても上層側シート１０Ａを透過した汗は下層側シート１０Ｂに吸水・保水されるようになり、かつ肌には低吸水・低保水性の上層側シート１０Ａが接触するようになるため、肌へのべと付き感が抑えられるようになるとともに、下層側シート１０Ｂに吸水された汗が肌と直接、べとべとの状態で接触し続けるのを防ぎ、汗疹、湿疹やかぶれなどを効果的に防止できるようになる。さらに、前記上層側シート１０Ａの表面にメッシュ状等のエンボス模様を付けるようにすれば、肌との接触面積を減らすことができ、肌への感触もより良好なものとなる。なお、使用する脚部吸汗用シート１０の保水能力が十分に高いような条件の下では不織布シートを単層で使用することもできる。
【００２２】
ところで、図示の例では、脚部吸汗用シート１０の配設部位をサイドフラップ部ＳＦ上としたが、立体ギャザーＢＫの起立を阻害しないように、起立固定端の外側であれば吸収体３側部からサイドフラップ部ＳＦに跨る領域に配設するようにしてもよい。また、前記脚部吸汗用シート１０を紙おむつの全長に亘って配設したが、少なくとも股間部を含む範囲（中間の所定範囲）であれば部分的に配設するようにしてもよい。
【００２３】
他方、前記例では撥水処理を施したバリヤシート４を用いているため、サイドフラップ部ＳＦの上面に脚部吸汗用シート１０を貼設するようにしたが、図４に示されるように、バリヤシート４と不透液性バックシート１との間に、レーヨンまたはキュプラ等の再生繊維による不織布シート或いは綿等の天然繊維による不織布シートからなる吸汗用単層シート１０Ｃを介在させるようにもできる。この場合には、バリヤシート４を透過して汗を吸水させる必要があるため、バリヤシート４としては撥水処理を行っていない液透過性の不織布を使用するか、或いは立体ギャザーＢＫ部分は漏れ防止の確実のために撥水処理を行い、サイドフラップ部分ＳＦについては撥水処理を行わず液透過性とした不織布を使用するようにすればよい。吸汗用単層シート１０Ｃを覆うバリヤシート４が丁度、前述した上層側シート１０Ａの機能を担うようになり、肌へのべと付き感が抑えられるようになるとともに、吸水された汗が肌と直接、べとべとの状態で接触し続けるのを防止する。
【００２４】
他方、本紙おむつでは、エンドフラップ部ＥＦにおいても、その表面に紙おむつの幅方向に沿って腰部吸汗用シート１０Ｄを貼設している。図１の例では、両側に配設された脚部吸汗用シート１０、１０に挟まれた区間に貼設するようにしたが、図６に示されるように、脚部吸汗用シート１０の上下端縁を紙おむつ端部の手前で止め、腰部吸汗用シート１０Ｄを紙おむつのほぼ全幅に亘って配設するようにしてもよい。なお、この腰部吸汗用シート１０Ｄは脚部に配置した吸汗用シート１０と同様に、ポリエチレン、ポリプロピレンまたはこれらを主体とした合成繊維による不織布シートまたは多孔性プラスチックシートよりなる上層側シート１０Ａと、レーヨンまたはキュプラ等の再生繊維による不織布シートあるいは綿等の天然繊維による不織布シートよりなる下層側シート１０Ｂの二層構造シートを使用するのがよい。
【００２５】
このエンドフラップ部ＥＦにおいても、透液性トップシート２と弾性伸縮バンド６との間に吸汗用単層シートを介在させるようにしてもよい。なお、エンドフラップ部ＥＦでは、表面側の透液性トップシート２が本来的に透液性を備えているため、単にレーヨンまたはキュプラ等の再生繊維による不織布シートあるいは綿等の天然繊維による不織布シートからなる吸汗用単層シートを介在させるようにすればよい。
【００２６】
以上、本実施の形態ではテープ止着型紙おむつを例に採って本発明を説明したが、本発明はパンツ型紙おむつに対しても全く同様に適用することが出来る。
【００２７】
【発明の効果】
以上詳説のとおり本発明によれば、着用者がかいた汗が肌と長時間の間接触することに原因する、汗疹、湿疹やかぶれなどの皮膚症状を効果的に防止し得るようになる。
【図面の簡単な説明】
【図１】  本発明に係る紙おむつの一部破断展開図である。
【図２】  その要部拡大展開図である。
【図３】  紙おむつの中央位置での横断面図（図１のIII−III線矢視図）である。
【図４】  脚部吸汗用シート１０の配置態様の変形例図である。
【図５】  エンドフラップＥＦ部の横断面図（図１のV−V線矢視図）である。
【図６】  腰部吸汗用シート１０Ｄの配置態様の変形例図である。
【図７】  従来の紙おむつの要部拡大展開図である。
【符号の説明】
１…不透液性バックシート、２…透液性トップシート、３…吸収体、４…バリヤシート、５・６…弾性伸縮バンド、７…ファスニングテープ、８・９…弾性伸縮部材、１０…脚部吸汗用シート、１０Ａ…上層側シート、１０Ｂ…下層側シート、１０Ｃ…吸汗用単層シート、１０Ｄ…腰部吸汗用シート、ＢＫ…立体ギャザー、ＳＦ…サイドフラップ部、ＧＫ…平面ギャザー
【図１】
0003950258.tif 000002
【図２】
0003950258.tif 000003
【図３】
0003950258.tif 000004
【図４】
0003950258.tif 000005
【図５】
0003950258.tif 000006
【図６】
0003950258.tif 000007
【図７】
0003950258.tif 000008